(57)【要約】【課題】音楽の音を大きくするだけでなく、低音再生効果を有し、音質をよくするスピーカー構造を提供する【解決手段】スピーカー本体１と、共振エンクロージャ２と、を備えるスピーカー構造であって、スピーカー本体１は、メイン部１１と放音部１２からなり、共振エンクロージャ２はスピーカー本体１の内部に設けられ、共振エンクロージャの２両端はそれぞれスピーカー本体１の相対する両端に連結し、共振エンクロージャ２は、径がだんだん小さくなる複数の共振エンクロージャハウジング２１が連結してなり、共振エンクロージャハウジング２１は剛性材料からなり、各共振エンクロージャハウジング２１は、隣接する共振エンクロージャハウジング２１と互いに摺接可能である。共振エンクロージャ２はメイン部１１と放音部１２との間で引き伸ばすことができる。【選択図】図２
0003151380.tif 000002
【実用新案登録請求の範囲】
【請求項１】
スピーカー本体と、共振エンクロージャと、を備えるスピーカー構造であって、
前記共振エンクロージャは、前記スピーカー本体の内部に設けられ、
前記共振エンクロージャの両端はそれぞれ前記スピーカー本体の相対する両端に連結し、
前記共振エンクロージャは、径がだんだん小さくなる複数の共振エンクロージャハウジングが連結してなり、各共振エンクロージャハウジングは、隣接する共振エンクロージャハウジングと互いに摺接可能であることを特徴とするスピーカー構造。
【請求項２】
前記スピーカー本体は、メイン部と放音部とを含み、
前記共振エンクロージャは前記メイン部と前記放音部との間で引き伸ばすことができ、
前記メイン部の一端面には複数の第１固定部が離間されて配置されて、
前記放音部は前記メイン部と相対する端面に複数の第２固定部が離間されて配置されて、前記第１固定部と前記第２固定部を互いに係合することで、前記スピーカー本体を組立てることを特徴とする請求項１に記載したスピーカー構造。
【請求項３】
前記第１固定部と前記第２固定部はＬ字状をなすことを特徴とする請求項２に記載したスピーカー構造。
【請求項４】
前記共振エンクロージャハウジングの外壁面には、少なくとも一つの位置決め凹溝が設けられ、
前記共振エンクロージャハウジングの内壁面には、少なくとも一つの位置決め突部が設けられ、
各共振エンクロージャハウジングの位置決め突部は、隣接する共振エンクロージャハウジングの位置決め凹溝と係合することを特徴とする請求項１に記載したスピーカー構造。
【請求項５】
前記共振エンクロージャハウジングは剛性材料からなるものであることを特徴とする請求項１に記載したスピーカー構造。
【考案の詳細な説明】
【技術分野】
【０００１】
本考案はスピーカー構造に関し、特に、携帯式のスピーカー構造に関する。
【背景技術】
【０００２】
電子技術の進歩にともない、多種類のタイプの携帯式マルチメディアプレーヤーも普及しつつある。マルチメディアプレーヤーの持ち運びを便利にさせるために、マルチメディアプレーヤーをできるだけ小型化する。また、コンパクトにするとともに、その内部の設計もより精密になることが要求されている。しかし、こうなると設計や製造には手間が増えてしまう。製造メーカーは製品出荷のタイミングを短縮させるために、プレーヤーが正確に音を出すことのみを要求し、よって、プレーヤーの音量が限られてしまう。イヤホンや携帯式スピーカー装置を外付けしないと、音がはっきり聞こえないことがある。一方、一般的な携帯式スピーカー装置は、アンプリファイアーとして音を大きくするためだけのものなので、正しい低音を再生できる共振エンクロージャを備えていなく、音質が気になって要求レベルが高くなる人の要求に対応することができない。
【考案の概要】
【考案が解決しようとする課題】
【０００３】
本考案は、このような事情に鑑みてなされたもので、音楽の音を大きくするだけでなく、低音再生効果を有し、音質をよくするスピーカー構造を提供することを目的とする。
【課題を解決するための手段】
【０００４】
本考案によるスピーカー構造は、スピーカー本体と、共振エンクロージャと、を備える。前記共振エンクロージャは前記スピーカー本体の内部に設けられ、前記共振エンクロージャの両端はそれぞれ前記スピーカー本体の相対する両端に連結し、前記共振エンクロージャは、径がだんだん小さくなるように構成された複数の共振エンクロージャハウジングが連結してなり、各共振エンクロージャハウジングは、隣接する共振エンクロージャハウジングと互いに摺接可能である。
【０００５】
以下、本考案を実施例に基づき更に具体的に説明するが、本考案は下記の実施例により制限されるものではない。
【考案の効果】
【０００６】
本考案によると、音楽の音量を大きくすることに加えて、前記共振エンクロージャによる共振効果が発生し、スピーカーから出た音楽は低音再生効果を持つ。それ故に、音楽品質を向上させる。
【図面の簡単な説明】
【０００７】
【図１】本考案に係るスピーカー構造の第１状態の斜視図である。
【図２】本考案に係るスピーカー構造の第２状態の斜視図である。
【図３】本考案に係るスピーカー構造の第２状態を下面側から見た斜視図である。
【図４】図３のＡ部分の要部図である。
【図５】本考案に係るスピーカー構造と端子切替装置の斜視図である。
【図６】本考案に係るスピーカー構造は信号ラインを介してもう一つのスピーカー構造と串列した斜視図である。
【考案を実施するための形態】
【０００８】
図１と図２に示すように、本考案に係るスピーカー構造はスピーカー本体１と、共振エンクロージャ２とを備える。前記スピーカー本体１は、メイン部１１と放音部１２とを含む。前記メイン部１１の一端面に複数のＬ字状の第１固定部１１１が離間されて配置されている。前記放音部１２と前記メイン部１１の相対する端面に複数のＬ字状の第２固定部１２１が離間されて配置されている。前記第１固定部１１１はそれぞれ前記第２固定部１２１と係合することで、前記メイン部１１と前記放音部１２とで前記スピーカー本体１が組み立てられる。これにより、前記スピーカー構造の体積を小さくし、持ち運びに便利である。
【０００９】
図２と図３に示すように、前記共振エンクロージャ２は前記スピーカー本体１の内部に設けられ、前記共振エンクロージャ２の両端はそれぞれ前記メイン部１１と前記放音部１２に連結され、前記共振エンクロージャ２は複数の共振エンクロージャハウジング２１が連結してなり、これら複数の共振エンクロージャハウジング２１は、サイズが互いに異なり、その径がだんだん小さくなるように構成される。例えば、次の共振エンクロージャハウジング２１は、その隣接する共振エンクロージャハウジング２１より一回り小さくするように構成される。前記共振エンクロージャハウジング２１は剛性材料を使うことができる。剛性材料として例えばウッドや金属、剛性プラスチックなどを挙げることができる。その中でも、前記共振エンクロージャ２の共振効果に優れているということから、共振エンクロージャハウジング２１の材質としてウッドを使うことが好ましい。
【００１０】
各共振エンクロージャハウジング２１は、隣接する共振エンクロージャハウジング２１と互いに摺接することにより、前記共振エンクロージャハウジング２１は前記メイン部１１と前記放音部１２との間で伸縮することができる。各共振エンクロージャハウジング２１を最大限まで引き伸ばすと、その共振効果は、共振エンクロージャハウジング２１が全部重なった場合より良好にできる。
【００１１】
図３と図４に示すように、各共振エンクロージャハウジング２１の外壁面には複数の位置決め凹溝２１１が形成され、また、各共振エンクロージャハウジング２１の内壁面には、複数の位置決め突部２１２が離間されて設けられる。各共振エンクロージャハウジング２１の外壁面から外へ向かって突起部２１３が突出している。各共振エンクロージャハウジング２１は上下方向に所定距離を摺動すると、前記共振エンクロージャハウジング２１の突起部２１３は隣接する共振エンクロージャハウジング２１の内壁に当接し、摺動を止める。また、前記共振エンクロージャハウジング２１の位置決め突部２１２は隣接する共振エンクロージャハウジング２１の各位置決め凹溝２１１と係合し、前記共振エンクロージャハウジング２１を異なった位置に固定することができる。それ故に、前記共振エンクロージャハウジング２１は滑止される。前記メイン部１１の内部に音声信号制御回路１１２が配置され、音声信号の増幅やノイズ除去を行うことができる。前記放音部１２の上面にスピーカー放音孔１２２が設けられる。前記音声信号制御回路１１２が処理されて前記共振エンクロージャ２を通し、前記スピーカー放音孔１２２から出力された音声信号は、低音再生効果を持つ。
【００１２】
前記共振エンクロージャハウジング２１は異なった形状により、それぞれの間に隙間が存在することがある。これに対応して、各共振エンクロージャハウジング２１の間に音声信号漏れ止め手段（図示せず）を配置してもよい。前記漏れ止め手段は例えばリング状のシートである。前記音声信号漏れ止手段を各共振エンクロージャハウジング２１の間の隙間に配置することにより、音声が前記共振エンクロージャハウジング２１の間の隙間から出て、前記共振エンクロージャ２の共振効果を低下させることを防止する。
【００１３】
図５に示すように、前記スピーカー構造は、さらに端子切替装置３を備える。前記端子切替装置３は、第１信号端子３１と、第２信号端子３２と、第３信号端子３３とを含む。前記第１信号端子３１、第２信号端子３２、第３信号端子３３はそれぞれ仕様が異なった信号端子である。前記メイン部１１には第１電接続部１１３が設けられ、前記端子切替装置３の第１信号端子３１は前記第１電接続部１１３と電気接続する。前記端子切替装置３の第２信号端子３２と第３信号端子３３は、攜帶式マルチメディアプレーヤーやパソコンなどに電気接続することができる。
【００１４】
図６に示すように、前記スピーカー構造はさらに信号ライン４を備える。前記メイン部１１には第２電接続部１１４が設けられる。ユーザの必要に応じて、前記信号ライン４の両端をそれぞれ前記第２電接続部１１４ともう一つのスピーカー構造と電気接続することもでき、二つのスピーカー構造により、音量をもっと大きくすることができる。
【産業上の利用可能性】
【００１５】
本考案にかかるスピーカー構造によると、音楽の音量を大きくすることに加えて、前記共振エンクロージャ２として剛性材料を使うことにより、音波が前記共振エンクロージャ２を通すと、共振効果が発生し、スピーカー放音孔１２２から出た音楽は低音再生効果を持つ。それ故に、音楽品質を向上させ、好調な売れ行きが期待される。
【００１６】
以上、本考案の好ましい実施例について記述したが、この考案の本来の精神及び範囲を逸脱することなく、当業者によって様々な修正及び変形が可能である。
【符号の説明】
【００１７】
スピーカー本体  １
メイン部  １１
第１固定部  １１１
音声信号制御回路  １１２
第１電接続部  １１３
第２電接続部  １１４
放音部  １２
第２固定部  １２１
スピーカー放音孔  １２２
共振エンクロージャ  ２
共振エンクロージャハウジング  ２１
位置決め凹溝  ２１１
位置決め突部  ２１２
突起部  ２１３
端子切替装置  ３
第１信号端子  ３１
第２信号端子  ３２
第３信号端子  ３３
信号ライン  ４
【図１】
0003151380.tif 000003
【図２】
0003151380.tif 000004
【図３】
0003151380.tif 000005
【図４】
0003151380.tif 000006
【図５】
0003151380.tif 000007
【図６】
0003151380.tif 000008